(57)【要約】【課題】紙詰まりを容易に解除し、かつ、両面印刷可能な画像形成装置における反転経路の操作性を良くする。【解決手段】カバー部７１を本体ボス７５ａを支軸としてハウジングの後方向へ回動したとき、カバー部７１に連動して、押出部材２５０がハウジングの前方向に回動する。このとき、押出部材２５０の一部である当接部２５０ａが、給紙カセットの後端部に当接し、給紙カセットを手前方向に押し出す。【選択図】図１０
2008189448.tif 000002
【特許請求の範囲】
【請求項１】
カセット挿入口を有する装置本体と、
前記カセット挿入口からカセット挿入部に挿脱され、記録用紙を収納する給紙カセットと、
前記給紙カセットから画像形成部に送り出される前記記録用紙を搬送する一対のローラと、
前記装置本体の外郭の一部を成し、前記給紙カセットに対して前記カセット挿入口と反対側に備えられ、前記画像形成部で画像形成された前記記録用紙を記録用紙排出部へ搬送する搬送経路の一部として設けられたカバー部と、
前記一対のローラは、前記装置本体の前記カセット挿入口を有する側に隣接して設けられている画像形成装置において、
前記カバー部は、前記カバー部が前記装置本体から開放された位置に移動したときには、前記カバー部に連動して前記カセット挿入口から前記給紙カセットを押し出す押出部材を備え、
前記カバー部が閉塞されている状態で、前記給紙カセットが前記カセット挿入口から前記装置本体外へ移動されたときには、前記カバー部は、閉塞された状態のままであることを特徴とする画像形成装置。
【請求項２】
前記一対のローラの一方は前記給紙カセットに設けられ、
前記一対のローラの一方は、前記給紙カセット挿入時には前記一対のローラの他方に圧接するとともに離脱時には前記他方のローラから離反することを特徴とする請求項１に記載の画像形成装置。
【請求項３】
前記画像形成部を通過した前記記録用紙の表裏を反転して、再び前記画像形成部に搬送するために前記カセット挿入部の上下のいずれか一方に設けられた反転経路と、
前記反転経路に沿って前記記録用紙を案内する案内機構とが備えられ、
前記記録用紙の幅に応じて前記案内機構を切換える操作部は、前記給紙カセットに対して前記カセット挿入口と反対側に設けられ、かつ前記給紙カセット付近に備えられていることを特徴とする請求項１又は２に記載の画像形成装置。
【発明の詳細な説明】
【技術分野】
【０００１】
本発明は、ファクシミリ、複写機などの装置本体に、用紙を収納した給紙カセットを挿脱可能に設けた画像形成装置に関する。
【背景技術】
【０００２】
従来、画像形成装置には、装置本体の下部にカセット挿入部を設け、このカセット挿入部に用紙を収納した給紙カセットを挿脱するカセット給紙方式が採られている。
【０００３】
画像形成装置には、カセット挿入部に給紙カセットから用紙を１枚ずつ送り出すピックアップローラが設けられ、このピックアップローラによる用紙送出位置に始端部を臨ませて印刷部などに通じる給紙通路が設けられ、この給紙通路の始端部に搬送ローラおよびこの搬送ローラに弾性的に圧接するピンチローラが設けられている。そして、給紙カセットからピックアップローラで１枚ずつ送り出される用紙を、搬送ローラおよびピンチローラによって給紙通路に取り込み搬送する。
【０００４】
このような画像形成装置では、ピックアップローラと用紙との滑りや用紙の斜行などを原因として給紙通路の始端部において紙詰まりが生じることがある。紙詰まりが生じた場合に、その紙詰まりを解消するには、装置の上面カバーを開放し、画像形成装置内に位置するリリースレバーを一方の手で操作してピンチローラを搬送ローラから離反させながら、もう一方の手で詰まった用紙を取り除くようにしている。
【０００５】
しかしながら、このような従来の画像形成装置では、作業が複雑であるとともに、紙詰まりの解消手順が分かりにくい。また、紙詰まりが起きた場合、多くの使用者はどこの位置で紙詰まりが起きたか予測できない。従って、使用者は給紙カセットやカバー部など、あらゆるところを開放することにより紙詰まり位置を確認するため、時間と手間がかかってしまう。
【０００６】
そこで、給紙通路で紙詰まりが生じた場合、給紙カセットをカセット挿入部から引き出すことにより、カバー部が連動して装置本体から開放移動し、このカバー部に設けられたピンチローラが搬送ローラから離反移動して、紙詰まりの生じた用紙の挟持を解除することが提案されている。（例えば特許文献1参照）このような構成であれば、給紙カセット
に連動してカバー部が開放されるので、給紙カセット及びカバー部を個別に開放する必要がなく、使用者の負担が軽減される。
【特許文献１】特開平７−９７０９１号公報
【発明の開示】
【発明が解決しようとする課題】
【０００７】
ところが、上記の提案は、給紙カセットの挿入に伴い、給紙カセットの後面でカバー部の当接部を後方へ押圧し、カバー部をスプリングの付勢に抗して前方へ起こすように閉塞移動させる構成になっている。このため、紙詰まりが起きた時以外にも、例えば給紙をする際に給紙カセットを開けたときにも、給紙カセットに連動してカバー部が開いてしまう。このようなカバー部の無意味な開放は、装置本体内に塵や埃を入れ、故障の原因になるだけでなく、使用者に不快感を与えてしまう。
【０００８】
また、図１３あるいは図１４に示すように両面印字可能な画像形成装置１ａ,１ｂは、
裏面印刷をするための用紙を、再び画像形成部５０ａ,５０ｂに搬送する反転搬送機構４
０ａ,４０ｂが設けられている。反転搬送機構４０ａ,４０ｂは、カバー部７１ａ,７１ｂ
の一部を搬送経路として用いている後部反転経路４１ａ,４１ｂと、用紙搬送トレイ９９
ａ,９９ｂによって搬送される下部反転経路９０ａ,９０ｂで構成されている。給紙カセット３００ａ,３００ｂは、通常、カセット挿入部７３ａ,７３ｂに収納されているが、給紙をする際にはカセット挿入口７４ａ,７４ｂから引き出すことができる。
【０００９】
図１３では、下部反転経路９０ａを通る用紙を搬送させるための用紙搬送トレイ９９ａは、給紙カセット３００ａの上部に設けられている。
【００１０】
また、図１４では、下部反転経路９０ｂを通る用紙を搬送させるための用紙搬送トレイ９９ｂは、給紙カセット３００ｂの下部に設けられている。
【００１１】
通常、用紙搬送トレイ９９ａ,９９ｂは、用紙の幅方向の誤差がないように搬送するた
めに、用紙の幅方向の一端側を基準板の案内面に当接させながら搬送する、案内機構が設けられている。
【００１２】
用紙搬送トレイ９９ａ,９９ｂは、Ａ４とレターサイズを切換えるための基準板切換ユ
ニットがそれぞれ設けられている。基準板切換ユニットは、基準板を用紙の大きさに合わせて幅方向の位置を変えるように操作する操作部１６９ａ,１６９ｂを切換えることで用
紙搬送を良好に行い、紙詰まりを防止している。
【００１３】
図１３に示すように、用紙搬送トレイ９９ａをもつ画像形成装置１ａにおいて、操作部１６９ａはカセット挿入口と反対側に設けられたカバー部付近に設けられ、かつ、給紙カセット３００ａの上部に設けられている。しかしながら、このように操作部１６９ａが給紙カセット３００ａの上部に位置してしまうと、切換えが困難である。基準板切換ユニット１５８ａを操作するためには、給紙カセット３００ａを前方向に引き出し、かつ、カバー部７１ａを開く必要がある。つまり使用者は、まず画像形成装置１ａの前から給紙カセット３００ａを引き出し、そして後方へ回りカバー部７１ａを開くという２つの動作が必要であるため、不便である。
【００１４】
また、図１４も同様に、操作部１６９ｂは給紙カセット３００ｂの下部に設けられている。そのため、このように操作部１６９ｂが給紙カセット３００ｂの下部に位置してしまうと、図１３と同じく切換えが困難であり、不便である。
【課題を解決するための手段】
【００１５】
上記課題を解決するために、請求項１に記載の発明は、カセット挿入口を有する装置本体と、カセット挿入口からカセット挿入部に挿脱され、記録用紙を収納する給紙カセットと、給紙カセットから画像形成部に送り出される記録用紙を搬送する一対のローラと、装置本体の外郭の一部を成し、給紙カセットに対してカセット挿入口と反対側に備えられ、画像形成部で画像形成された記録用紙を記録用紙排出部へ搬送する搬送経路の一部として設けられたカバー部と、一対のローラは、装置本体のカセット挿入口を有する側に隣接して設けられている画像形成装置において、カバー部は、カバー部が装置本体から開放された位置に移動したときには、カバー部に連動してカセット挿入口から給紙カセットを押し出す押出部材を備え、前記カバー部が閉塞されている状態で、前記給紙カセットが前記カセット挿入口から前記装置本体外へ移動されたときには、前記カバー部は、閉塞された状態のままであることを特徴とするものである。
【００１６】
請求項２に記載の発明は、一対のローラの一方は給紙カセットに設けられ、一対のローラの一方は、給紙カセット挿入時には一対のローラの他方に圧接するとともに離脱時には他方のローラから離反することを特徴とするものである。
【００１７】
請求項３に記載の発明は、画像形成部を通過した記録用紙の表裏を反転して、再び画像形成部に搬送するためにカセット挿入部の上下のいずれか一方に設けられた反転経路と、反転経路に沿って記録用紙を案内する案内機構とが備えられ、記録用紙の幅に応じて案内機構を切換える操作部は、給紙カセットに対してカセット挿入口と反対側に設けられ、かつ給紙カセット付近に備えられていることを特徴とするものである。
【発明の効果】
【００１８】
請求項１に記載の発明によれば、カバー部を装置本体から開放した位置に移動したときに、カバー部に連動してカセット挿入口から給紙カセットが押し出される。紙詰まりが起きた場合、多くの使用者はどこの位置で紙詰まりが起きたか予測できない。また、画像形成装置の後側で紙詰まりが起こっている場合には、前側でも紙詰まりが起こっている場合が多い。本発明の構成は、カバー部及び給紙カセットを個別に開放する必要がなく、一度にカバー部及び給紙カセットを開放することができるので、使用者の手間を省くことができる。
【００１９】
また、本発明は、カバー部を装置本体から開放した位置に移動したときは、カバー部に連動してカセット挿入口から給紙カセットが押し出されるが、カバー部が閉塞した状態で給紙カセットをカセット挿入口から装置本体外へ移動させたときには、カバー部は装置本体に閉塞した状態のままである。例えば、用紙を補充しようとして給紙カセットを引き出したときには、カバー部が装置本体外に開放することなく、装置本体に閉塞した状態を保っている。よって、カバー部を無意味に開放することなく、装置本体内に塵や埃の侵入を防止することができる。また、使用者に不快感を与えてしまうこともない。
【００２０】
請求項２の発明によれば、一対のローラの一方は給紙カセットに設けられているので、給紙カセット開放時には、他方のローラから離反する。これにより、一対のローラの間に紙詰まりが起こった場合には、紙詰まりの原因となった記録用紙を容易に取り出すことができる。
【００２１】
請求項３の発明によれば、両面印刷可能な画像形成装置において、記録用紙の幅に応じて案内機構を切換える操作部が、給紙カセットに対してカセット挿入口と反対側に設けられ、かつ給紙カセット付近に備えられている場合、操作部を切換えるには、カバー部を開放すると同時に給紙カセットを引き出さなくてはならない。本発明は、一度にカバー部及び給紙カセットを開放し、あるいは引き出すことができるので、使用者の手間を省くことができる。
【発明を実施するための最良の形態】
【００２２】
図１は本発明の画像形成装置としてのプリンタ１の断面図である。プリンタ１は、ハウジング７０と、給紙カセット３０と、フィーダ部８０と、搬送機構６０と、画像形成部５０と、反転搬送機構４０と、第１幅規制機構１０ａ、１０ｂと、第２幅規制機構１５９（図３、図４参照）とを備えている。
【００２３】
以下、プリンタ１を構成する上記の各構成要素について、詳細を説明する。また、図１のプリンタ１は、図１４の反転搬送機構部４０ａと同様に、下部反転経路９０が給紙カセット３０を通るように設けられている。
【００２４】
１．ハウジング
ハウジング７０は、金属又は樹脂等からなる略箱状体（略直方体）である。ハウジング７０の内側には、金属又は樹脂等からなるフレーム部材（図示せず）が設けられており、このフレーム部材には、給紙カセット３０、フィーダ部８０、画像形成部５０、搬送機構６０及び反転搬送機構４０等が組み付けられている。
【００２５】
ハウジング７０の後面側（図１の右側）には、下端側の本体ボス７５ａを支点として後方に揺動し、ハウジング７０の後面側を開放するカバー部７１が配設されている（図２および図９,図１０参照）。
【００２６】
ハウジング７０の上面側には、画像形成を終えてハウジング７０の外部に排出される記録用紙である用紙やＯＨＰシート等（以下、単に用紙という。）が載置される排紙トレイ７２が設けられている。
【００２７】
図１示すように、ハウジング７０内の下方には給紙カセット３０が設けられ、さらに、その下方には反転搬送機構４０の一部である下部反転経路９０（請求項３の反転経路に相当）が設けられている。
【００２８】
プリンタ１の前面（図１の左側）には、カセット挿入口７４が設けられている。給紙カセット３０を前方（カセット挿入口７４）から後方に押し込むことにより給紙カセット３０をカセット収納部７３に収納し、給紙カセット３０を後方から前方に引き出すことにより給紙カセット３０をカセット収納部７３から取り外すことが可能となっている。
【００２９】
２．給紙カセット
給紙カセット３０は、金属又は樹脂等からなる略箱状体（略直方体）であり、上方が開放された用紙収納室３０ａが凹設されている。用紙収納室３０ａは、用紙を積載して収納可能とされている。
【００３０】
用紙収納室３０ａの底部前方には、図３,図４に詳しく示すように、押圧板３１が配設
されている。押圧板３１の後端側は、左右方向（図３、図４では、紙面上側から下側に向かう方向）に配設された枢軸３１ａに軸支されており、押圧板３１の前端側は、上下に揺動可能となっている。押圧板３１は、上方から見て、略「エ」字形状であり、第１幅規制機構１０ａ、１０ｂが用紙の幅Ｗに対応して左右方向に移動しても干渉しないようになっている。そして、用紙を画像形成部５０に給紙する際には、押圧板３１が揺動して、用紙収納室３０ａに収容された用紙の前端側を押し上げ、上方の給紙ローラ８１に押し付けるようになっている。
【００３１】
３．第１幅規制機構
第１幅規制機構１０ａ、１０ｂは、用紙収納室３０ａ内に配設され、図３及び図４に示す中心線Ｃを基準位置として、左右方向で対向する１対のガイド板である。中心線Ｃは、画像形成部５０の画像形成範囲の中心Ｃと同一である。また、第１幅規制機構１０ａ、１０ｂは、用紙収納室３０ａ内で、押圧板３１の下方に配設されたラック部１１ａ、１１ｂ及びギヤ１２を有している。これらラック部１１ａ、１１ｂ及びギヤ１２が連動することにより、第１幅規制機構１０ａ、１０ｂが中心線Ｃに対して常に等距離に位置するようになっている。
【００３２】
このような構成である第１幅規制機構１０ａ、１０ｂは、画像形成部５０の画像形成範囲の中心Ｃ（中心線Ｃ）を基準位置として用紙の幅Ｗに対応して位置決めされ、用紙が中心線Ｃから左右方向にずれないように規制する。
【００３３】
例えば、図３に示すように、用紙の幅Ｗが大きなサイズ（例えば、レターサイズ）であるｗ１である場合、第１幅規制機構１０ａ、１０ｂは、各々中心線Ｃを基準位置として左右方向に等間隔（ｗ１／２）で離れて用紙を規制する。他方、図４に示すように、用紙の幅Ｗが小さなサイズ（例えば、Ａ４サイズ）であるｗ２である場合、第１幅規制機構１０ａ、１０ｂは、各々中心線Ｃを基準位置として左右方向に等間隔（ｗ２／２）で接近して
用紙を規制する。このように、用紙を幅方向端部で位置決めすることなく、用紙の幅方向における中央を基準に位置決めして搬送することをセンターレジ送りという。
【００３４】
４．フィーダ部
フィーダ部８０は、図１に示すように、給紙ローラ８１、分離ローラ１００、ローラ８２、レジストローラ８４等を有して構成されている。
【００３５】
給紙ローラ８１は、給紙カセット３０の前端側上方に設けられて、給紙カセット３０に載置された用紙を画像形成部５０に給紙（搬送）するものである。給紙ローラ８１の前側下方には、給紙ローラ８１により給紙される用紙を１枚毎に分離する分離ローラ１００および分離パッド１１０が配設されている。
【００３６】
一対のローラ８２は、搬送ローラ１６（請求項２の一対のローラの他方に相当）とピンチローラ１７（請求項２の一対のローラの一方に相当）から成り、ハウジング７０内の前方側にてＵターンして、ハウジング７０内の略中央部に配設された画像形成部５０に搬送される用紙の画像形成経路Ｐ１のうち、前方の略Ｕ字状に転向する部位に配置され、略Ｕ字状に湾曲しながら画像形成部５０に搬送される用紙に搬送力を与えるものである。
【００３７】
レジストローラ８４は、ローラ８２よりも画像形成経路Ｐ１の下流側に配設され、ローラ８２により搬送されてくる用紙の前端に接触することでその用紙の斜行を補正した後、その用紙をさらに画像形成部５０へ向けて搬送するものである。
【００３８】
また、ピンチローラ１７は給紙カセット３０に設けられているので、給紙カセット３０開放時には、搬送ローラ１７から離反する。これにより、ローラ８２に紙詰まりが起こった場合には、紙詰まりの原因となった記録用紙を容易に取り出すことができる。
【００３９】
５．搬送機構
搬送機構６０は、画像形成部５０の作動と連動して回転する駆動ローラ６１、駆動ローラ６１と離隔した位置に回転可能に配設された従動ローラ６２、及び駆動ローラ６１及び従動ローラ６２間に巻き付けられた搬送ベルト６３等から構成されている。
【００４０】
そして、搬送ベルト６３が用紙を載せた状態で回転することにより、給紙カセット３０から搬送されてきた用紙が画像形成経路Ｐ１に沿って移動し、画像形成部５０内のプロセスカートリッジ５８に搬送される。
【００４１】
６．画像形成部
画像形成部５０は、電子写真式のものを採用している。なお、本発明の画像形成装置において、画像形成部は電子写真式に限定されず、例えば、サーマル方式、インクジェット方式その他の一般な画像形成方式を採用することができる。
【００４２】
画像形成部５０は、カラー印刷が可能な、いわゆるダイレクトタンデム方式のものであり、スキャナ部５１、プロセスカートリッジ５８及び定着器ユニット５３等を有して構成されている。
【００４３】
現像カートリッジ１２０は、イエロー（１２０Ｙ）、マゼンダ（１２０Ｍ）、シアン（１２０Ｃ）、ブラック（１２０Ｋ）の４つから成り、４つの感光ドラム５２ａ、５２ｂ、５２ｃ、５２ｄに対応するよゆに設けられている。
【００４４】
スキャナ部５１は、ハウジング７０内の上部に設けられて、各感光ドラム５２ａ、５２ｂ、５２ｃ、５２ｄの表面に静電潜像を形成する。
【００４５】
定着ユニット５３は、用紙の搬送経路の一部である画像形成経路Ｐ１において感光ドラム５２ａ、５２ｂ、５２ｃ、５２ｄより下流側に配設され、用紙の画像形成面側に配設されてトナーを加熱しながら用紙に搬送力を付与する加熱ローラ５３ａ、及び用紙を挟んで加熱ローラ５３ａと反対側に配設されて用紙を加熱ローラ５３ａ側に押圧する加圧ローラ５３ｂ等を有して構成されている。
【００４６】
このような構成である画像形成部５０においては、以下のようにして用紙に画像が形成される。すなわち、感光ドラム５２ａ、５２ｂ、５２ｃ、５２ｄの表面は、その回転に伴って、帯電器により一様に正帯電された後、スキャナ部５１から照射されるレーザビームの高速走査により露光される。これにより、感光ドラム５２ａ、５２ｂ、５２ｃ、５２ｄの表面には、用紙に形成すべき画像に対応した静電潜像が形成される。
【００４７】
次いで、現像カートリッジ１２０からトナーが静電潜像に対応して感光ドラム５２ａ、５２ｂ、５２ｃ、５２ｄの表面に供給され、感光ドラム５２ａ、５２ｂ、５２ｃ、５２ｄの表面上に担持されたトナーが用紙に転写される。そして、トナーが転写された用紙は定着ユニット５３に搬送されて加熱され、トナーが用紙に定着して、画像形成が完了する。
【００４８】
７．反転搬送機構
反転搬送機構４０は、用紙の表裏両面に画像を形成するためのものであり、後部反転経路４１と下部反転経路９０（請求項３の反転経路に相当）とを有している。後部反転経路４１と下部反転経路９０とは、定着ユニット５３を通過した用紙がハウジング７０の後面側からカセット挿入部７３（給紙カセット３０）の下方を経て、フィーダ部８０に戻るように配置されている。
【００４９】
排紙ローラ４５ａ、４５ｂは、対向する１対のローラからなり、正方向および逆方向に回転の切換えができるように構成されている。この排紙ローラ４５ａ、４５ｂは、排紙トレイ７２上に用紙を排紙する場合には、正方向に回転して、用紙を排紙方向に搬送するが、用紙を反転させて後部反転経路４１に搬送する場合には、逆方向に回転する。
【００５０】
フラッパ４９は、画像形成経路Ｐ１と後部反転経路４１との分岐部分に臨むように、揺動可能に設けられており、図示しないソレノイドの励磁または非励磁により、排紙ローラ４５ａ、４５ｂによって反転された用紙の搬送方向を、画像形成経路Ｐ１に向かう方向から、後部反転経路４１に向かう方向に切換えるものである。
【００５１】
再搬送ローラ４６は、排紙ローラ４５ａ、４５ｂからハウジング７０の最下方に配設される下部搬送経路９０の後端側まで用紙を搬送する。下部反転経路９０は、カセット挿入部７３（給紙カセット３０）の下方に配設され、その後端側が後部反転経路４１の下端側前方に配置されている。
【００５２】
なお、下部反転経路９０では、画像形成経路Ｐ１と同様に、用紙の幅方向における中央を基準に用紙を搬送する必要がある。ただし、ここでは用紙の片側だけを案内し、斜行する力を与えながら、まっすぐに搬送する。
【００５３】
８．第２幅規制機構
下部搬送経路９０は、図５〜図８に示すように、用紙搬送トレイ９９と、斜行ローラユニット９２、９３、９４、９５とを有している。
【００５４】
用紙搬送トレイ９９は、略矩形板状をなし、図１に示すように給紙カセット３０の下方において、ハウジング７０内に、略水平方向に設けられている。この用紙搬送トレイ９９
には、用紙を受ける複数のリブ５５が設けられており、このリブ５５は、用紙を略水平方向に搬送するために、その上端面が略水平状に形成されるとともに、用紙の搬送方向上流側端部および下流側端部が、後部反転経路４１から搬送される用紙を受け入れるため、または、上方に反転させて用紙３をローラ８２に搬送するために、略湾曲形状に形成されている。
【００５５】
図５、図６に示すように、片側ガイド送り機構部１５２は、後部反転経路４１から搬送されてくる用紙を、画像形成ユニット５０に、その幅方向の誤差がないように搬送するために、用紙の幅方向一端側を規制しながら搬送するためのガイド機構である基準板１５６と、基準板１５６の一部として設けられ、搬送されてくる用紙を受けて案内するための第２幅規制機構１５９（請求項３の案内機構に相当）と、基準板１５６を用紙のサイズに応じて幅方向に移動させるための基準板位置切換ユニット１５８とを備えている。
【００５６】
基準板１５６は、用紙の搬送方向に沿って延びる略矩形板状をなし、用紙搬送トレイ９９の幅方向一端部において、後に述べる基準板位置切換ユニット１５８による切換えによって幅方向移動可能に設けられている。
【００５７】
この基準板１５６における幅方向一端部は、用紙の上面における幅方向一端部側を覆うことができるように、上側に向かって断面略コ字状に形成され、その略コ字状とされた側壁が、用紙の幅方向一端縁と当接して、その用紙の幅方向移動を規制するための接触面（案内面）としての第２幅規制機構１５９とされている。この第２幅規制機構１５９は、基準板１５６の幅方向一端部において、その長手方向に沿って設けられている。
【００５８】
基準板１５６には、前後方向に並ぶ４つの開口９１ａ、９１ｂ、９１ｃ、９１ｄが配設されている。各開口９１ａ、９１ｂ、９１ｃ、９１ｄは、斜行ローラユニット９２、９３、９４、９５の駆動ローラ９２ａ、９３ａ、９４ａ、９５ａを露出させるためのものである。
【００５９】
斜行ローラユニット９２、９３、９４、９５は、駆動ローラ９２ａ、９３ａ、９４ａ、９５ａと、斜行ローラ９２ｂ、９３ｂ、９４ｂ、９５ｂからなる。
【００６０】
図７は図５の基準板１５６を取り外した時の用紙搬送トレイ９９、図８は図６の基準板１５６を取り外した時の用紙搬送トレイ９９を示している。駆動ローラ９２ａ、９３ａ、９４ａ、９５ａは、用紙の搬送方向と直交する方向を回転軸の方向とし、用紙搬送トレイ９９の下面側に配置されて、上部が開口９１ａ、９１ｂ、９１ｃ、９１ｄから露出するものである。駆動ローラ９２ａ、９３ａ、９４ａ、９５ａは、駆動手段により同期して回転駆動される。
【００６１】
斜行ローラ９２ｂ、９３ｂ、９４ｂ、９５ｂは、駆動ローラ９２ａ、９３ａ、９４ａ、９５ａに対して回転軸が傾斜した状態で上方に配置され、用紙を介して、駆動ローラ９２ａ、９３ａ、９４ａ、９５ａに従動回転するように構成されている。そして、斜行ローラ９２ｂ、９３ｂ、９４ｂ、９５ｂは、駆動ローラ９２ａ、９３ａ、９４ａ、９５ａとともに、用紙搬送トレイ９９上を通過する用紙を挟持して、用紙を第２幅規制機構１５９側（左側）に突き当てながら搬送するものである。
【００６２】
基準板位置切換ユニット１５８は、切換操作レバー１６５、切換作用レバー１６６および付勢ばね１６７および１６８を備えている。
【００６３】
切換操作レバー１６５は、樹脂からなり、一方の片に、手動によって基準板１５６の位置を切換えるための操作部１６９（請求項３の操作部に相当）が設けられ、他方の片に、
係合突起１７１が設けられている。
【００６４】
また、用紙搬送トレイ９９の上流側には、凹部１０３が形成されており、切換操作レバー１６５の略中心に設けられた凸部２００が勘合する。切換操作レバー１６５は、凸部２００を支点として、用紙搬送トレイ９９に揺動可能に支持されている。これによって、切換操作レバー１６５は、幅広切換位置と幅狭切換位置とに、切換え可能に揺動される。
【００６５】
切換作用レバー１６６は、樹脂製の杆体部１７５と、その杆体部１７５の上流側端部に一体成形される矩形板状の基板部１７３とを備えており、基板部１７３には、切換操作レバー１６５の係合突起１７１を受け入れる基板孔１７４が形成されている。また、杆体部１７５には、その長さ方向途中において、用紙搬送トレイ９９の幅方向内側に向かって膨出する２つの膨出部１７６が、互いに所定の間隔を隔てて形成されている。
【００６６】
また、基準板１５６の幅方向他端部の側方には、長手方向において所定の間隔を隔てて、付勢ばね１６７および１６８が設けられており、これら付勢ばね１６７および１６８が、基準板１５６の側板１７８を幅方向外側に向けて付勢している。なお、切換操作レバー１６５は、基板部１７３が、リブ５５に沿って配置されており、このリブ５５によって、幅方向移動が規制されている。
【００６７】
そして、操作部１６９を引動させることにより、切換操作レバー１６５を幅広切換位置に切換えると、図３、図５、図７に示すように、切換操作レバー１６５の揺動に伴って、係合突起１７１および基板孔１７４を介して、切換作用レバー１６６の杆体部１７５が基準板１５６に対して下流側に向かって進出し、杆体部１７５の各膨出部１７６が側板１７８の各受入孔１７９に対向するので、付勢ばね１６７および１６８の付勢力により、各膨出部１７６が各受入孔１７９に受け入れられることにより、基準板１５６が幅方向外側に移動される。これによって、第２幅規制機構１５９が、幅広の用紙（たとえば、レターサイズ）を搬送するための幅広搬送位置にセットされる。
【００６８】
一方、操作部１６９を押動させることにより、切換操作レバー１６５を幅狭切換位置に切換えると、図４、図６、図８に示すように、切換操作レバー１６５の揺動に伴って、係合突起１７１および基板孔１７４を介して、切換作用レバー１６６の杆体部１７５が基準板１５６に対して上流側に向かって退避し、各膨出部１７６の各傾斜面１７７が、各受入孔１７９の孔縁部と摺動しながら、各受入孔１７９から抜け出て、側板１７８を用紙搬送トレイ９９における用紙の幅方向内側に向かって押圧する。そうすると、付勢ばね１６７および１６８の付勢力に抗して、基準板１５６が幅方向内側に移動され、これによって、基準面５９が、幅狭の用紙（たとえば、Ａ４サイズ）を搬送するための幅狭搬送位置にセットされる。
【００６９】
９．給紙カセット押出機構
図９、図１０は押出部材２５０についての回転機構を示している。押出部材２５０は、ハウジング７０に設けられている本体ボス７５ｃに遊嵌する遊嵌孔２５０ｃが設けられている。また、押出部材２５０に設けられた押出部材孔２５０ｂは、カバー部７１に設けられたカバー部ボス７６ｂに嵌合されている。
【００７０】
また、ハウジング７０に設けられた本体ボス７５ａは、カバー部７１に設けられたカバー部連結孔７７に嵌合している。カバー部７１を開くと、カバー部７１は、本体ボス７５を中心として回動する。これに連動して押出部材２５０は、本体ボス７５ｃが遊嵌孔２５０ｃ内を相対的に移動する（実際には遊嵌孔２５０ｃが移動する）ようにしながら、前方向に回動する。この時、押出部材２５０の当接部２５０ａが給紙カセット３０の後端部が当接して、給紙カセット３０を前方向に押し出す。
【００７１】
図１１はカバー部７１がハウジング７０に対して閉じられた状態（カバー部７１は図示せず）を示している。この時、切換操作レバー１６５の操作部１６９は給紙カセットの下に位置しているので操作することができないが、カバー部７１を開くと、給紙カセット３０が前方向に押し出されるので、露出する状態になる（図１２参照）。これにより、カバー部７１を開くと操作部１６９の操作をすることが可能となる。
【００７２】
本発明は、カバー部７１を装置本体から開放した位置に移動したときに、カバー部７１に連動してカセット挿入口７４から給紙カセット３０が押し出される構成である。よって、紙詰まりが起きた場合、カバー部７１及び給紙カセット３０を個別に開放し、あるいは引き出す必要がなく、一度にカバー部７１及び給紙カセット３０を開放し、あるいは引き出すことができるので、使用者の手間を省くことができる。
【００７３】
また、両面印刷可能な画像形成装置において、用紙の幅に応じて第２幅規制機構１５９を切換える操作部１６９が、給紙カセット３０に対してカセット挿入口７４と反対側に設けられ、かつ給紙カセット３０付近に備えられている場合、操作部１６９を切換えるには、カバー部７１と給紙カセット３０との両方を開放あるいは引き出さなくてはならない。本発明の構成は、カバー部７１及び給紙カセット３０を一度に開放あるいは引き出すことができるので、使用者の手間を省くことができる。
【００７４】
また、本発明は、カバー部７１をハウジング７０から開放した位置に移動したときは、カバー部７１に連動してカセット挿入口７４から給紙カセット３０が押し出されるが、給紙カセット３０をカセット挿入口７４からハウジング７０外へ移動させたときには、カバー部７１はハウジング７０に閉塞した状態のままである。例えば、用紙を補充しようとした際に給紙カセット３０を引き出したときには、カバー部７１がハウジング７０外に移動することなく、ハウジング７０に閉塞した状態を保っている。
【００７５】
よって、カバー部７１を無意味に開放することなく、ハウジング７０への塵や埃の侵入を防止することができる。また、使用者に不快感を与えてしまうこともない。
【００７６】
また、本実施例では図１４と同様に、下部反転経路９０がカセット挿入部７３（給紙トレイ３０）の下部に設けられているが、図１３に示すように、下部反転経路９０がカセット挿入部７３（給紙トレイ３０）の上部に設けられていても、基準板切換ユニット１５８が給紙カセット３０の後端部付近に設けられていれば、同様の効果が得られる。
【図面の簡単な説明】
【００７７】
【図１】プリンタの概略断面図である。
【図２】カバー部を開いた状態を示す概略断面図である。
【図３】給紙カセット及び幅広紙における第１規制機構を示す概略上面図である。
【図４】給紙カセット及び幅狭紙における第１規制機構を示す概略上面図である。
【図５】下部反転経路の幅広搬送位置における第２幅規制機構を示す図である。
【図６】下部反転経路の幅狭搬送位置における第２幅規制機構を示す図である。
【図７】図５の基準板を外した図である。
【図８】図６の基準板を外した図である。
【図９】カバー部を閉じた状態における、カバー部と押出部材との連動機構を示す図である。
【図１０】カバー部を開いた状態における、カバー部と押出部材との連動機構を示す図である。
【図１１】カバー部を閉じた状態において、プリンタを後側斜め上から見た図（カバー部は図示せず）である。
【図１２】カバー部を開いた状態において、プリンタを後側斜め上から見た図（カバー部は図示せず）である。
【図１３】第２幅規制機構を備えた反転経路が給紙カセットの上を通る従来例を示す図である。
【図１４】第２幅規制機構を備えた反転経路が給紙カセットの下を通る従来例を示す図である。
【符号の説明】
【００７８】
1…画像形成装置
１０ａ,１０ｂ…第１幅規制機構
３０…給紙カセット
４０…反転搬送機構
７１…カバー部
７５ｃ,７５ａ…本体ボス
７６ｂ…カバー部ボス
７７…カバー部連結孔
９０…下部反転経路
９９…用紙搬送トレイ
１５６…基準板
１５８…基準板切換機構
１５９…第２幅規制機構
１６５…切換操作レバー
１６６…切換作用レバー
１６７,１６８…付勢ばね
１６９…操作部
１７１…係合突起
２５０…押出部材
２５０ａ…当接部
２５０ｂ…押出部材孔
２５０ｃ…遊嵌孔
【図１】
2008189448.tif 000003
【図２】
2008189448.tif 000004
【図３】
2008189448.tif 000005
【図４】
2008189448.tif 000006
【図５】
2008189448.tif 000007
【図６】
2008189448.tif 000008
【図７】
2008189448.tif 000009
【図８】
2008189448.tif 000010
【図９】
2008189448.tif 000011
【図１０】
2008189448.tif 000012
【図１１】
2008189448.tif 000013
【図１２】
2008189448.tif 000014
【図１３】
2008189448.tif 000015
【図１４】
2008189448.tif 000016